(57)【要約】【課題】フェースを異なる複数の材料で形成することで打球のスピン量及びフェースの耐久性を向上させる。【解決手段】ゴルフクラブヘッドは、フェース部とヘッド本体とを有する。上記フェース部は、第１部材と第２部材と第３部材とを有する。上記第１部材は、第１材料からなり、収容部を有する。上記第２部材は、上記第１材料からなり、トウ−ヒール方向を長手方向とし、上記第１部材と共に当該フェース部の表面を形成するように、上記トウ−ヒール方向の垂直方向に亘って複数上記収容部に収容された長尺板状のものである。上記第３部材は、上記第１材料よりも弾性率の低い第２材料からなり、上記第２部材の背面に接続されて上記収容部に収容される。【選択図】図２
2018157967.tif 000002
【特許請求の範囲】
【請求項１】
フェース部とヘッド本体とを具備し、
前記フェース部は、
第１材料からなり、収容部を有する第１部材と、
前記第１材料からなり、トウ−ヒール方向を長手方向とし、前記第１部材と共に当該フェース部の表面を形成するように、前記トウ−ヒール方向の垂直方向に亘って前記収容部に収容された長尺板状の複数の第２部材と、
前記第１材料よりも弾性率の低い第２材料からなり、前記第２部材の背面に接続されて前記収容部に収容された第３部材と、を有する
ゴルフクラブヘッド。
【請求項２】
請求項１に記載のゴルフクラブヘッドであって、
前記フェース部は前記トウ−ヒール方向に延びるスコアラインを有し、
前記第１部材及び前記第２部材の少なくとも一方には、前記スコアラインの一部または全部が形成される
ゴルフクラブヘッド。
【請求項３】
請求項１または２に記載のゴルフクラブヘッドであって、
前記第１部材は、前記垂直方向に所定間隔毎に設けられ、端面が前記フェース部の表面を形成する複数のリブを有し、
前記第２部材及び前記第３部材は、前記リブ間に収容される
ゴルフクラブヘッド。
【請求項４】
請求項１乃至３のいずれかに記載のゴルフクラブヘッドであって、
前記収容部は、前記第２部材と対向するように前記第３部材の背面に接続される底面部を有する
ゴルフクラブヘッド。
【請求項５】
請求項２に記載のゴルフクラブヘッドであって、
前記第１部材は、前記垂直方向に所定間隔毎に設けられ、端面が前記フェース部の表面を形成する複数のリブを有し、
前記第２部材及び前記第３部材は、前記リブ間に収容され、
前記スコアラインは、前記垂直方向における前記リブの両側面のうちトップライン側の側面と、前記垂直方向における前記第２部材の両端部のうちリーディングエッジ側の端部に形成された切欠きとによって形成される
ゴルフクラブヘッド。
【請求項６】
請求項２に記載のゴルフクラブヘッドであって、
前記第１部材は、前記垂直方向に所定間隔毎に設けられ、端面が前記フェース部の表面を形成する複数のリブを有し、
前記第２部材及び前記第３部材は、前記リブ間に収容され、
前記スコアラインは、前記垂直方向における前記リブの両側面のうちリーディングエッジ側の側面と、前記垂直方向における前記第２部材の両端部のうちトップライン側の端部に形成された切欠きとによって形成される
ゴルフクラブヘッド。
【請求項７】
請求項１乃至６のいずれかに記載のゴルフクラブヘッドと、
前記ゴルフクラブヘッドに取り付けられるゴルフクラブシャフトと
を具備するゴルフクラブ。
【発明の詳細な説明】
【技術分野】
【０００１】
本発明は、ゴルフクラブヘッド及びゴルフクラブに関する。
【背景技術】
【０００２】
従来のアイアン型のゴルフクラブとして、下記特許文献１には、打球面を有するフェースと、フェースに接続されたボディと、フェースの後面にインサート形態で接続された充填材料とを備えるヘッドを含むゴルフクラブが開示されている。
【先行技術文献】
【特許文献】
【０００３】
【特許文献１】特表２０１３−５００８２７号公報
【発明の概要】
【発明が解決しようとする課題】
【０００４】
しかしながら、上記特許文献１に記載の技術においては、フェースとは材料の異なる充填材料を適宜変更することで、フェースの慣性モーメントや重心の位置をカスタマイズすることが可能となるものの、打球のスピン量及びフェースの耐久性（耐摩耗性）を向上させることはできない。
【０００５】
以上のような事情に鑑み、本発明の目的は、フェースを異なる複数の材料で形成することで打球のスピン性能及びフェースの耐久性を向上させることが可能なゴルフクラブヘッド及びゴルフクラブを提供することにある。
【課題を解決するための手段】
【０００６】
上記目的を達成するため、本発明の一形態に係るゴルフクラブヘッドは、フェース部とヘッド本体とを有する。上記フェース部は、第１部材と第２部材と第３部材とを有する。
上記第１部材は、第１材料からなり、収容部を有する。上記第２部材は、上記第１材料からなり、トウ−ヒール方向を長手方向とし、上記第１部材と共に当該フェース部の表面を形成するように、上記トウ−ヒール方向の垂直方向に亘って複数上記収容部に収容された長尺板状のものである。上記第３部材は、上記第１材料よりも弾性率の低い第２材料からなり、上記第２部材の背面に接続されて上記収容部に収容される。
【０００７】
この構成により、フェース部の表面側には同一材料の異なる第１及び第２部材を設け、第２部材の下層側により弾性率の低い第３部材を設けることで、打球時に第２部材へ加わる衝撃力により第３部材が第２部材と共に沈み込むことでフェース面に凹凸が生じ、ボールが当該凹凸に引っ掛かりやすくなることで、打球のスピン量及びフェースの耐久性を向上させることができる。
【０００８】
上記フェース部は上記トウ−ヒール方向に延びるスコアラインを有し、上記第１部材及び上記第２部材の少なくとも一方には、上記スコアラインの一部または全部が形成されてもよい。
【０００９】
これにより、打球時に第３部材が緩衝材として作用し、ボールとスコアラインとの摩擦力が減少することから、スコアラインの摩耗によるすり減り量を減らし経年変化によるスピン量の低下を防ぐことができ、また仮に摩耗によってスコアラインがすり減っても、上記第２部材の沈み込みにより生じる凹凸がスコアラインとして機能しスピン量を確保することができる。
【００１０】
上記第１部材は、上記垂直方向に所定間隔毎に設けられ、端面が上記フェース部の表面を形成する複数のリブを有し、上記第２部材及び上記第３部材は、上記リブ間に収容されてもよい。
【００１１】
上記収容部は、上記第２部材と対向するように上記第３部材の背面に接続される底面部を有してもよい。
【００１２】
上記第１部材が上記複数のリブを有し、上記第２部材及び上記第３部材が上記リブ間に収容される場合、上記スコアラインは、上記垂直方向における上記リブの両側面のうちトップライン側の側面と、上記垂直方向における上記第２部材の両端部のうちリーディングエッジ側の端部に形成された切欠きとによって形成されてもよい。
【００１３】
これにより、打球時にスコアラインのうちトップライン側のエッジが沈み込む一方でリーディングエッジ側のエッジは沈み込まずに当該エッジにボールがより引っ掛かりやすくなるため、バックスピン量をより増加させることができる。
【００１４】
上記第１部材が上記複数のリブを有し、上記第２部材及び上記第３部材が上記リブ間に収容される場合、上記スコアラインは、上記垂直方向における上記リブの両側面のうちリーディングエッジ側の側面と、上記垂直方向における上記第２部材の両端部のうちトップライン側の端部に形成された切欠きとによって形成されてもよい。
【００１５】
これにより、打球時にスコアラインのうちリーディングエッジ側のエッジが沈み込む一方でトップライン側のエッジは沈み込まずに当該エッジにボールがより引っ掛かりやすくなるため、いわゆるリコイル現象を生じさせバックスピン量を減少させることで、ボールの飛距離を増加させることができる。
【００１６】
本発明の他の形態に係るゴルフクラブは、上記のうちいずれかに記載のゴルフクラブヘッドと、上記ゴルフクラブヘッドに取り付けられるゴルフクラブシャフトとを有する。
【発明の効果】
【００１７】
以上説明したように、本発明によれば、フェースを異なる複数の材料で形成することで打球のスピン性能及びフェースの耐久性を向上させることができる。しかし、この効果は本発明を限定するものではない。
【図面の簡単な説明】
【００１８】
【図１】本発明の第１実施形態に係るゴルフクラブの外観を示した図である。
【図２】本発明の第１実施形態に係るゴルフクラブのフェース部の断面を概略的に示した図である。
【図３】上記フェース部による打球時におけるフェース部の断面を概略的に示した図である。
【図４】本発明の第２実施形態に係るゴルフクラブのフェース部の断面を概略的に示した図である。
【図５】本発明の第３実施形態に係るゴルフクラブのフェース部の断面を概略的に示した図である。
【図６】本発明の第４実施形態に係るゴルフクラブのフェース部の断面を概略的に示した図である。
【図７】本発明の第５実施形態に係るゴルフクラブのフェース部の断面を概略的に示した図である。
【図８】本発明の第６実施形態に係るゴルフクラブのフェース部の断面を概略的に示した図である。
【図９】本発明の第７実施形態に係るゴルフクラブのフェース部の断面を概略的に示した図である。
【図１０】本発明の第８実施形態に係るゴルフクラブのフェース部の断面を概略的に示した図である。
【図１１】本発明の第９実施形態に係るゴルフクラブのフェース部の断面を概略的に示した図である。
【図１２】本発明の第１０実施形態に係るゴルフクラブのフェース部の断面を概略的に示した図である。
【図１３】本発明の第１１実施形態に係るゴルフクラブのフェース部の断面を概略的に示した図である。
【図１４】本発明の第１２実施形態に係るゴルフクラブのフェース部の断面を概略的に示した図である。
【図１５】本発明の第１３実施形態に係るゴルフクラブのフェース部の断面を概略的に示した図である。
【図１６】本発明の第１４実施形態に係るゴルフクラブのフェース部の断面を概略的に示した図である。
【発明を実施するための形態】
【００１９】
以下、図面を参照しながら、本発明の実施形態を説明する。
【００２０】
［第１実施形態］
まず、本発明の第１実施形態について説明する。
【００２１】
図１は、本実施形態に係るゴルフクラブのヘッド近傍の外観を示した図である。図２は、当該ゴルフクラブのヘッドのフェース部の断面を概略的に示した図である。
【００２２】
図１に示すように、本実施形態に係るゴルフクラブ１００は、ヘッド１と、当該ヘッド１に例えばソケット（フェルール）４等を介して取り付けられるシャフト２とを有する。ヘッド１は、打球面となるフェース部１０と、ヘッド本体２０とを有する。
【００２３】
図１及び図２に示すように、フェース部１０は、ヘッド１のトウ−ヒール方向（各図Ｘ方向）に延びる当該トウ−ヒール方向の垂直方向（各図Ｙ方向）に亘って設けられた複数のスコアライン５を有する。
【００２４】
またフェース部１０は、第１部材１１と、第２部材１２と、第３部材１３とを有する。
【００２５】
第１部材１１は、第１材料（例えば、一般的なゴルフクラブヘッドに用いられる、SAT-64やSAT-811等のチタン合金、SUS630等のステンレス鋼、S45C等の炭素鋼、マレージング鋼等）からなる。
【００２６】
当該第１部材１１は、第２部材１２及び第３部材１３を収容する収容部１１ａを有する。本実施形態では、収容部１１ａは、上記Ｙ方向に所定間隔毎に設けられた複数のリブ１１１を有し、当該複数のリブ１１１によって複数の収容部１１ａが形成されている。また当該リブ１１の上端面は、フェース部１０の表面の一部を形成している。
【００２７】
第２部材１２は、上記第１部材１１と同じ第１材料からなり、上記トウ−ヒール方向（Ｘ方向）を長手方向とする長尺板状を有し、その垂直方向（Ｙ方向）に亘って上記収容部１１ａの上端部に複数収容されている。これにより各第２部材１２は、上記第１部材１１（リブ１１１）の端面と共に、フェース部１０の表面を形成している。
【００２８】
第３部材１３は、上記第２部材１２の背面に接続されて上記複数の収容部１１ａにそれぞれ収容されている。
【００２９】
第３部材１３は、上記第１部材１１及び第２部材１２を形成する第１材料よりも弾性率の低い（第１材料よりも弾性を有する）第２材料からなる。第２材料としては、例えば、熱硬化性樹脂等の樹脂や硬質ゴム等が挙げられるが、これらに限られない。
【００３０】
第２部材１２は、第３部材１３上には固定されているが、第１部材１１には固定されずに設置される。
【００３１】
上記第１部材１１及び上記第２部材１２の少なくとも一方の表面には、上記スコアライン５の一部または全部が形成される。
【００３２】
本実施形態では、第１部材１１（リブ１１１）と第２部材１２がそれぞれ、その上端のＹ方向の一端部に断面略Ｌ字状の切り欠きを有しており、当該各切欠きと、第１部材１１（リブ）及び第２部材１２の上端のＹ方向の他端部側面とによって、各スコアライン５が形成されている。より具体的には、第１部材１１（リブ１１１）の切り欠きと第２部材１２の側面とで構成されるスコアライン５と、第２部材１２の切り欠きと第１部材１１（リブ１１１）の側面とで構成されるスコアライン５とが、Ｙ方向に亘って交互に形成されている。
【００３３】
なお、図２においては、フェース部１０を平板形状に簡略化して示しているが、実際にはフェース部１は、平板形状部分以外にも背面側下部のソール部分にラウンド形状の膨大部を有しており、当該形状に沿って上記第１部材１１、第２部材１２及び第３部材１３が設けられている。
【００３４】
当該第１部材１１、第２部材１２及び第３部材１３を有するフェース部１０を製造する際には、例えば、まず第１部材（リブ１１１）の収容部１１ａに第２部材１２を設置した上で、例えば、複数の細い針状部材を有する治具によって、フェース部１０の背面側から第２部材１２を固定しておき、当該治具の針状部材の間に、溶融した状態の第３材料（樹脂やゴム）を充填し、当該第３材料が固まり第３部材１３が形成された状態でフェース部１０の表面（第１部材１１及び第２部材１２）を研磨し、その後上記治具を取り外して第３部材１３を研磨等して完成させる。
【００３５】
図３は、上記フェース部１０による打球時におけるフェース部１０の断面を概略的に示した図である。
【００３６】
フェース部１０が、ゴルフボールＢの打撃により強い衝撃を受けると、第２部材１２へ加わる衝撃力により、同図Ａの矢印で示す方向へ力が加わることで、同図Ｂに示すように、剛性のある第１部材１１の状態は変化しない一方で、第１部材１１及び第２部材１２よりも弾性率が低い第３部材１３が、第２部材１２と共に、上記矢印方向へ沈み込む。
【００３７】
これにより、打球時において、フェース部１０の表面には、上記第２部材１２の第３部材１３側への沈み込みに伴う凹凸が生じ、ゴルフボールＢが当該凹凸に引っ掛かりやすくなることで、打球のスピン量が向上する。
【００３８】
また、この際、第３部材１３が緩衝材として作用し、ゴルフボールＢとスコアライン５との摩擦力が減少することから、スコアライン５の摩耗によるすり減り量が減少することで、耐久性を向上させ、経年変化によるスピン量の低下を防ぐことができる。
【００３９】
また仮に摩耗によってスコアライン５がすり減ったとしても、上記第２部材１２の沈み込みにより生じる凹凸がスコアライン５と同様に機能することで、一定のスピン量を確保することができる。
【００４０】
［第２実施形態］
次に、本発明の第２実施形態について説明する。本実施形態及びこれ以降の実施形態おいて、上記第１実施形態と同一の機能または構成を有する箇所については同一の符号を付し、説明を省略または簡略化する。
【００４１】
図４は、本実施形態に係るゴルフクラブ１００のヘッド１のフェース部１０の断面を概略的に示した図である。
【００４２】
同図に示すように、本実施形態では、第１部材１１の上記収容部１１ａは、底面部１１２を有する。当該底面部１１２は、第２部材１２（の背面）と対向するように、第３部材１３の背面に接続されている。
【００４３】
また本実施形態では、スコアライン５は、上記第１実施形態と同様に、第１部材１１（リブ１１１）の切り欠きと第２部材１２の側面とで構成されるスコアライン５と、第２部材１２の切り欠きと第１部材１１（リブ１１１）の側面とで構成されるスコアライン５とが、Ｙ方向に亘って交互に形成されているが、各切り欠きは、第１部材（リブ１１１）及び第２部材１２において、Ｙ方向における上記第１実施形態とは逆の端部に設けられている。
【００４４】
本実施形態のフェース部１０を製造する際には、まず複数のリブ１１１が一体成形された第１部材１１の収容部に第３材料を充填して第３部材１３を形成し、その上層に第２部材１２を接着等によって設置する。
【００４５】
［第３実施形態］
次に、本発明の第３実施形態について説明する。
【００４６】
図５は、本実施形態に係るゴルフクラブ１００のヘッド１のフェース部１０の断面を概略的に示した図である。
【００４７】
同図に示すように、本実施形態では、第１部材１１（リブ１１１）、第２部材１２及び第３部材１３の構成は上記第２実施形態と同様であるが、上記底面部１１２の厚みが上記第２実施形態よりも大きく形成されている。
【００４８】
また、第１部材１１（リブ１１１）の上端部が切り欠きを有しない一方で、第２部材１２の上端部は、そのＹ方向の両端部に切り欠きを有しており、当該切り欠きと、第１部材１１（リブ１１１）の側面によってスコアライン５が形成されている。
【００４９】
［第４実施形態］
次に、本発明の第４実施形態について説明する。
【００５０】
図６は、本実施形態に係るゴルフクラブ１００のヘッド１のフェース部１０の断面を概略的に示した図である。
【００５１】
同図に示すように、本実施形態においては、第１部材１１（リブ１１１）、第２部材１２及び第３部材１３の構成は上記第２実施形態及び第３実施形態と同様であるが、第３実施形態とは逆に、第２部材１２の上端部が切り欠きを有しない一方で、第１部材１１（リブ１１１）の上端部は、そのＹ方向の両端部に切り欠きを有しており、当該切り欠きと、第２部材１２の側面によってスコアライン５が形成されている。
【００５２】
［第５実施形態］
次に、本発明の第５実施形態について説明する。
【００５３】
図７は、本実施形態に係るゴルフクラブ１００のヘッド１のフェース部１０の断面を概略的に示した図である。
【００５４】
同図に示すように、本実施形態では、上記第３実施形態と同様に第２部材１２のみにスコアライン５の一部となる切り欠きが形成されているが、第１部材１１のリブ１１１が底面部１１２まで達しておらず、一部材として形成された第３部材１３上に埋設された状態とされている。
【００５５】
［第６実施形態］
次に、本発明の第６実施形態について説明する。
【００５６】
図８は、本実施形態に係るゴルフクラブ１００のヘッド１のフェース部１０の断面を概略的に示した図である。
【００５７】
同図に示すように、本実施形態では、第１部材１１（リブ１１１）、第２部材１２及び第３部材１３の配置は上記第１実施形態と同様に底面部１１２を有しない形態であるが、上記第３実施形態及び第５実施形態と同様に、第２部材１２のみにスコアライン５の一部となる切り欠きが形成されている。
【００５８】
［第７実施形態］
次に、本発明の第７実施形態について説明する。
【００５９】
図９は、本実施形態に係るゴルフクラブ１００のヘッド１のフェース部１０の断面を概略的に示した図である。
【００６０】
同図に示すように、本実施形態では、フェース部１０の全面に亘って第２部材１２及び第３部材１３が設けられておらず、例えばフェース部１０の中央付近（打球点として想定される位置）にのみ第２部材１２及び第３部材１３が設けられている。
【００６１】
したがって、スコアライン５としては、第１部材にのみ形成されたものと、第１部材１１（リブ１１１）のＹ方向両端部に形成された切り欠きと第２部材１２の側面とで形成されたものとが混在している。
【００６２】
［第８実施形態］
次に、本発明の第８実施形態について説明する。
【００６３】
図１０は、本実施形態に係るゴルフクラブ１００のヘッド１のフェース部１０の断面を概略的に示した図である。
【００６４】
同図に示すように、本実施形態では、上記第５実施形態と類似の構造を有するが、第１部材１１のリブ１１１が、第３部材１３に埋設されておらず、Ｚ方向において第２部材１２と同様の厚みを有し、第２部材１２と同一の高さにおいて第３部材１３と接続されている。
【００６５】
本実施形態では、打球時には第２部材１２のみならず第１部材１１（リブ１１１）もＺ方向に沈み込むことになるが、第１部材１１（リブ１１１）と第２部材１２とが固定されていないことから、フェース部１０の表面に凹凸が生じスピン量の向上を図れる点は上述の各実施形態と同様である。
【００６６】
［第９実施形態］
次に、本発明の第９実施形態について説明する。
【００６７】
図１１は、本実施形態に係るゴルフクラブ１００のヘッド１のフェース部１０の断面を概略的に示した図である。
【００６８】
同図に示すように、本実施形態では、第１部材（リブ１１１）、第２部材１２及び第３部材１３の配置は第１実施形態と同様であるが、スコアライン５は第２部材１２にのみ形成されている。
【００６９】
［第１０実施形態］
次に、本発明の第１０実施形態について説明する。
【００７０】
図１２は、本実施形態に係るゴルフクラブ１００のヘッド１のフェース部１０の断面を概略的に示した図である。
【００７１】
同図に示すように、本実施形態では、第１部材１１の収容部１１ａはリブ１１１を有しておらず、Ｙ方向の各端部にのみ設けられており、その間に複数の第２部材１２がＹ方向に連続的に設けられ、それらの底面が１つの第３部材１３と接続されている。
【００７２】
［第１１実施形態］
次に、本発明の第１１実施形態について説明する。
【００７３】
図１３は、本実施形態に係るゴルフクラブ１００のヘッド１のフェース部１０の断面を概略的に示した図である。
【００７４】
同図に示すように、本実施形態では、第３部材１３がフェース部１０の表面近くまで設けられており、また第１部材１１（リブ１１１）間にはそれぞれ複数の第２部材１２が、上記第３部材１３に埋設されるように設けられている。
【００７５】
本実施形態では、第１部材１１（リブ１１１）及び第２部材１２はいずれも切り欠きを有しておらず、それらのＹ方向の両側面と、第３部材１３の上面とによってスコアライン５が形成されている。
【００７６】
［第１２実施形態］
次に、本発明の第１２実施形態について説明する。
【００７７】
図１４は、本実施形態に係るゴルフクラブ１００のヘッド１のフェース部１０の断面を概略的に示した図である。
【００７８】
同図に示すように、本実施形態では、第１部材１１（リブ１１１）、第２部材１２、第３部材１３の配置は第１実施形態と同様であるが、場所によって第２部材１２と第３部材１３のＺ方向における相対的な厚みが異なる。同図の例では、当該厚みがＹ方向において徐々に変化するように設計されているが、例えばフェース部１０の中央付近における第２部材１２の厚みが最も小さくなるように（第３部材１３の厚みが最も大きくなるように）設計されてもよいし、Ｙ方向において第２部材１２及び第３部材１３の厚みがジグザグ状に変化するように設計されてもよい。
【００７９】
また、第２部材１２及び第３部材１３の厚みがＹ方向において徐々に変化する場合、フェース部１０のうちトップライン側とリーディングエッジ側のどちらの厚みを大きくするかによって、スピン性能の調整を図ることも可能となる。
【００８０】
例えば、第３部材１３の厚みがリーディングエッジ側において小さくトップライン側において大きくなるように（第２部材１２の厚みがリーディングエッジ側において大きくトップライン側において小さくなるように）設計される場合、インパクト時にゴルフボールＢの上側の反発力が大きくなることで、バックスピン量を減らして飛距離を稼ぐクラブを設計するようなことも可能となる。
【００８１】
［第１３実施形態］
次に、本発明の第１３実施形態について説明する。
【００８２】
図１５は、本実施形態に係るゴルフクラブ１００のヘッド１のフェース部１０の断面を概略的に示した図である。
【００８３】
上述の実施形態では、各図において、フェース部１０の上側（トップライン側）と下側（リーディングエッジ側；ソール側）とを特に指定していなかったが、同図に示すように、本実施形態では、それらを加味した設計とされている。
【００８４】
すなわち、本実施形態では、第１部材１１（リブ１１１）、第２部材１２、第３部材１３の配置は第１実施形態と同様であるが、第１部材（リブ１１１）の上端部は切り欠きを有しておらず、第２部材１２の上端部のみ切り欠きを有しており、かつ、当該切り欠きは、Ｙ方向の両端部のうちリーディングエッジ側の端部にのみ形成されている。したがって、当該切り欠きと、上記第１部材１１（リブ１１１）の上端部のトップライン側の側面とによってスコアライン５が形成されている。
【００８５】
これにより、打球時には、スコアライン５のうち第２部材１２に形成されたトップライン側のエッジが沈み込む一方で、第１部材１１（リブ１１１）によって形成されたリーディングエッジ側のエッジは沈み込まずに、当該リーディングエッジ側のエッジにゴルフボールＢがより引っ掛かりやすくなるため、バックスピン量をより増加させることができる。
【００８６】
［第１４実施形態］
次に、本発明の第１４実施形態について説明する。
【００８７】
図１６は、本実施形態に係るゴルフクラブ１００のヘッド１のフェース部１０の断面を概略的に示した図である。
【００８８】
同図に示すように、本実施形態では、上記第１３実施形態と同様の構成であるが、Ｙ方向における切り欠きの位置が第１３実施形態とは逆に設けられている。
【００８９】
すなわち、本実施形態における第２部材１２に設けられた切り欠きは、Ｙ方向の両端部のうちトップライン側の端部にのみ形成されている。したがって、当該切り欠きと、上記第１部材１１（リブ１１１）の上端部のリーディングエッジ側の側面とによってスコアライン５が形成されている。
【００９０】
これにより、打球時にスコアライン５のうち第２部材１２に形成されたリーディングエッジ側のエッジが沈み込む一方で、第１部材１１（リブ１１１）によって形成されたトップライン側のエッジは沈み込まずに、当該トップライン側のエッジにゴルフボールＢがより引っ掛かりやすくなるため、いわゆるリコイル現象を生じさせ、バックスピン量を減少させることで、ボールの飛距離を増加させることができる。
【００９１】
［変形例］
本発明は上述の実施形態にのみ限定されるものではなく、本発明の要旨を逸脱しない範囲内において種々変更され得る。
【００９２】
上述の第１乃至第１６実施形態における第１部材（リブ１１１）、第２部材１２及び第３部材１４の各態様は、矛盾しない限り如何様にも組み合わせることが可能である。
【００９３】
上述の各実施形態では、アイアン型のゴルフクラブヘッドが示されたが、本発明はウッド型のゴルフクラブヘッドのフェース部にも同様に適用可能である。
【符号の説明】
【００９４】
１…ヘッド
２…シャフト
５…スコアライン
１０…フェース部
１１…第１部材
１１ａ…収容部
１２…第２部材
１３…第３部材
２０…ヘッド本体
１００…ゴルフクラブ
１１１…リブ
１１２…底面部
【図１】
2018157967.tif 000003
【図２】
2018157967.tif 000004
【図３】
2018157967.tif 000005
【図４】
2018157967.tif 000006
【図５】
2018157967.tif 000007
【図６】
2018157967.tif 000008
【図７】
2018157967.tif 000009
【図８】
2018157967.tif 000010
【図９】
2018157967.tif 000011
【図１０】
2018157967.tif 000012
【図１１】
2018157967.tif 000013
【図１２】
2018157967.tif 000014
【図１３】
2018157967.tif 000015
【図１４】
2018157967.tif 000016
【図１５】
2018157967.tif 000017
【図１６】
2018157967.tif 000018